(57)【要約】【課題】シャッタドライバの再付勢時において、シャッタ移動に起因する光漏れが発生するリスクが低減された、改良型カメラフレームアセンブリを提供する。【解決手段】カメラフレームアセンブリであって、ベース部材２０と、そのベース部材２０に接続された駆動ハブ１２８とを含む。その駆動ハブ１２８に、シャッタ１４が連結されている。ベース部材２０上に、シャッタドライバ６６が設置される。シャッタドライバ６６は、付勢状態から解放状態に選択的に偏向し、その偏向時に駆動ハブ１２８に打ち付ける。その打ち付けに反応して、駆動ハブ１２８およびシャッタ１４は共に、ベース部材２０に対して、旋回軸１１０を軸にして解放方向に旋回し、シャッタ閉鎖位置からシャッタ開放位置に至る。駆動ハブ１２８は、シャッタ１４から独立して、解放方向とは逆の再付勢方向に旋回可能である。【選択図】図１
2004206122.tif 000002
【特許請求の範囲】
【請求項１】
カメラフレームアセンブリであって、
ベース部材と、
前記ベース部材に接続された駆動ハブと、
前記駆動ハブに連結されたシャッタと、
前記ベース部材に取り付けられ、付勢状態から解放状態に選択的に偏向し、その偏向時に前記駆動ハブに打ち付ける、シャッタドライバと、を有し、
前記打ち付けに反応して、前記駆動ハブおよび前記シャッタは共に、前記ベース部材に対して、旋回軸を軸にして解放方向に旋回し、シャッタ閉鎖位置からシャッタ開放位置に至り、
前記駆動ハブは、前記シャッタから独立して、前記解放方向とは逆の再付勢方向に旋回可能である、カメラフレームアセンブリ。
【請求項２】
カメラフレームアセンブリであって、
ベース部材と、
前記ベース部材に接続された駆動ハブと、
前記駆動ハブから延伸し、旋回軸を画成する、シャフトと、
前記シャフトに連結するシャッタと、
前記ベース部材に取り付けられ、付勢状態から解放状態に選択的に偏向し、その偏向時に前記駆動ハブに打ち付ける、シャッタドライバと、を有し、
前記打ち付けに反応して、前記駆動ハブ、前記シャフト、および前記シャッタは共に、前記ベース部材に対して、前記旋回軸を軸にして解放方向に旋回し、シャッタ閉鎖位置からシャッタ開放位置に至り、
前記駆動ハブは、前記シャフトおよび前記シャッタから独立して、前記解放方向とは逆の再付勢方向に旋回可能である、カメラフレームアセンブリ。
【請求項３】
カメラフレームアセンブリであって、
ベース部材と、
前記ベース部材から延伸するシャフトと、
前記シャフトに連結し、前記シャフトに対して旋回可能な駆動ハブと、
前記駆動ハブから間隔をあけた状態で前記シャフトに連結するシャッタと、
前記ベース部材に取り付けられ、付勢状態から解放状態に選択的に偏向し、その偏向時に前記駆動ハブに打ち付ける、シャッタドライバと、を有し、
前記打ち付けに反応して、前記駆動ハブ、前記シャフト、および前記シャッタは共に、前記ベース部材に対して、前記シャフト内に延伸する旋回軸を軸にして旋回し、シャッタ閉鎖位置からシャッタ開放位置に至る、カメラフレームアセンブリ。
【発明の詳細な説明】
【技術分野】
【０００１】
本発明は、写真および写真カメラに関し、特に、インパクトシャッタのための独立逆旋回駆動ハブを有するカメラフレームアセンブリに関する。
【背景技術】
【０００２】
使い捨てカメラおよび他の単純なカメラでは通常、インパクトシャッタが利用される。それらのシャッタは、シャッタブレードの突起部または肩部に打ち付けるシャッタドライバ（「高エネルギレバー」と呼ばれることもある）によって作動される。シャッタドライバは、スライドすることも考えられるが、より典型的には回転してシャッタブレードに打ち付ける。シャッタドライバは、ばね駆動され、フィルムを進めると同時にシャッタドライバを付勢位置に動かすフィルム送りおよび巻取り機構の巻取り動作によって付勢される。このような構成では、シャッタドライバをフィルムに近接配置することが好都合である。その一方で、シャッタは、撮影レンズから入射する円錐形の光を囲むバッフルの端部に位置するフィルムから、ある程度の距離だけ離れた位置に設けることが最適である。シャッタドライバがシャッタに打ち付けるためには、この距離が確保されなければならない。
【０００３】
シャッタドライバが付勢位置から解放位置へ移動することによってシャッタが開放された後、シャッタドライバは、解放位置から付勢位置に戻ることによって、次の撮影のために再度付勢されなければならない。シャッタに打ち付ける際に、作動ドライバのハンマ部は、シャッタの旋回軸、およびカメラの撮影レンズの光軸の両方に平行な平面内で移動する。再付勢時には、ハンマ部は同じ平面内を移動し、シャッタはじゃまにならない位置によけられる。その際にシャッタは、多くの使い捨てカメラでは、旋回軸との整列状態から傾斜あるいは並進移動される。たとえば、米国特許第５，６１４，９７５号に記載のカメラでは、フレームから延伸するポストを収容する大きなスロットが、シャッタブレードに設けられる。再付勢時には、ハンマ部がシャッタに押し付け、ポストをスロットに沿って動かすようにして、シャッタを旋回軸との整列状態から移動させる。この方法では、シャッタの移動時に光が漏れるおそれがある。
【０００４】
米国特許第５，７２１，９９５号には、一対のインパクトシャッタブレードを移動させる一連のリンクを使用することが開示されている。
【０００５】
【特許文献１】米国特許第５，６１４，９７５号
【特許文献２】米国特許第５，７２１，９９５号
【発明の開示】
【発明が解決しようとする課題】
【０００６】
シャッタドライバの再付勢時において、シャッタ移動に起因する光漏れが発生するリスクが低減された、改良型カメラフレームアセンブリを提供することが望ましい。
【課題を解決するための手段】
【０００７】
本発明は、請求項によって規定される。本発明は広義において、カメラフレームアセンブリであって、ベース部材と、そのベース部材に接続された駆動ハブとを含む。その駆動ハブに、シャッタが連結されている。ベース部材上に、シャッタドライバが設置される。シャッタドライバは、付勢状態から解放状態に選択的に偏向し、その偏向時に駆動ハブに打ち付ける。その打ち付けに反応して、駆動ハブおよびシャッタは共に、ベース部材に対して、旋回軸を軸にして解放方向に旋回し、シャッタ閉鎖位置からシャッタ開放位置に至る。駆動ハブは、シャッタから独立して、解放方向とは逆の再付勢方向に旋回可能である。
【発明の効果】
【０００８】
本発明の効果としては、シャッタドライバの再付勢時において、シャッタ移動に起因する光漏れが発生するリスクが低減された改良型カメラフレームアセンブリが提供されることが挙げられる。
【発明を実施するための最良の形態】
【０００９】
本発明の実施形態に関する以下の説明を、添付の図面と共に参照することによって、本発明の上述およびその他の特徴や目的、ならびにそれらを達成する手段が、より明確になり、本発明自体がより良く理解される。
【００１０】
カメラフレームアセンブリ１０は、シャッタ１４を含むシャッタ機構１２を有する。シャッタ機構１２は、レンズ筒１８と共に光軸１６に沿って前後に移動する。本明細書で使用される用語「カメラフレームアセンブリ１０」は、完成品としてのカメラ、または、完成品ではないが他のパーツと組み合わせると完成品カメラを形成できるカメラのサブユニットを指す。本発明は、使い捨てカメラの完成品もしくは未完成品であるカメラフレームアセンブリ１０において、特に有用である。
【００１１】
カメラフレームアセンブリ１０は、フレームまたはベース部材２０と、そのベース部材２０に固定されたレンズモジュール２２とを有する。図示する実施形態では、ベース部材２０は、カメラフレームアセンブリ１０の前および後カバー２１，２３の間に保持され、レンズモジュール２２は、前カバー内の開口部を通り抜けて延伸する。図８を参照すると、ベース部材２０は両側に一対のチャンバ７２を有する。その一方はフィルムカートリッジ（図示せず）を収容し、他方はフィルムロールを収容する。巻取り機構４０は、フィルムをフィルムロールから撮像面３８（図７に破線で示す）に横断させ、フィルムカートリッジ内へ至るようにする。フラッシュユニット１６４を設け、シャッタに同期させてもよい。ビューファインダ保持板１６６は、巻取り機構４０のパーツをフレーム上に保持する。フラッシュユニット１６４および他の構成品は、ベース部材２０上に取り付けられるか、あるいはベース部材２０とカバー２１，２３との間に保持される。
【００１２】
レンズモジュール２２は、ベース部材２０上の固定位置に取り付けられるレンズベース２４を含む。（本明細書で使用される用語「固定」および類似の用語は、物理的な位置または関係において不動および不変であることを指す。）レンズベース２４は、光軸１６を規定する。本発明の特定の実施形態では、レンズベース２４は、担持部２６およびベースレンズ要素２８（図１０に図示する）を含み、オプションで１つ以上の追加のレンズ要素（図示せず）を含むことが考えられる。
【００１３】
図１〜図１０の実施形態においてレンズベース２４は、担持部２６、マウント２７、およびホルダキャップ２９を含む。マウント２７は、レンズモジュール２２をフレーム２０に連結するものであり、特定のフレーム設計に合った条件を満たすよう構成される。マウント２７は、フレーム２０に固定される。マウント２７および他のパーツをフレーム２０に固定する方法は、本発明において決定的事項ではない。たとえばマウント２７は、摩擦ばめやフックによって固定されることも可能であり、他の方法で連結、接着、または結合されることもできる。
【００１４】
マウント２７は、ホルダキャップ２９を収容する前向きのカップ３５（図９参照のこと）を有する。マウント２７の中央開口部３７は、不要な光を遮断することでフレアを低減するマスク構造３９で縁取られている。ホルダキャップ２９は、スナップ留め、接着、または他の連結方法で、マウント２７に対して固定される。ホルダキャップ２９は、レンズ筒１８がホルダキャップ２９内で伸縮できるような状態で、レンズ筒１８を覆う（図９参照のこと）。本実施形態では、図７に示すように、前カバーがベース部材２０およびレンズモジュール２２を覆う。
【００１５】
図１１および図１２に示す別の実施形態では、レンズベース２４は、ホルダキャップ２９の代わりにホルダ３４を含む。ホルダ４３は、ホルダキャップ２９の後部分に類似する。レンズ筒１８は、ホルダ４３から外へ伸長し、またホルダ４３内へ収縮する。本実施形態では、トラベラ３２の端部は別個のキャップ３６で覆われる。このトラベラ３２は、図１〜図１０の実施形態のトラベラ３２に比べて長い。
【００１６】
レンズ筒１８は、レンズベース２４に連結される。レンズ筒１８は、完全伸長位置と完全収縮位置との間を、光軸１６に沿って前後に移動可能である（双方向矢印３０で示すとおり）。レンズ筒１８の移動は、光軸１６を軸にした回転を含んでも含まなくてもよい。
【００１７】
レンズ筒１８は、トラベラ３２と、そのトラベラ３２に保持される前部レンズ要素３４とを含む。レンズ筒は、さらに前部レンズリテーナ３３を含むことでレンズを定位置に保持することも考えられる。図１１および図１２に示す実施形態ではレンズ筒１８は、レンズリテーナ３３の代わりに、トラベラ３２の前端部を閉鎖する筒キャップ３６を含む。オプションとして、１つ以上の追加のレンズ要素（図示せず）をトラベラ３２内に設けてもよい。前部および後部レンズ要素３４，２６ならびに他のレンズ要素（あれば）が共に、光を撮像面３８へ入射させる撮影レンズシステムを構成する。本明細書で説明するカメラは、撮像媒体として写真フィルムを用いる実施形態として説明される。写真フィルムの代わりに電子的イメージャ（図示せず）を使用することもできる。
【００１８】
図示する実施形態ではトラベラ３２は、円筒形外壁４２と、光軸１６に対して直交方向に延伸する横断壁４４とを有する。横断壁４４は、中央開口部を有し、前部レンズ要素３４を支持する。シャッタ１４は、横断壁４４と、トラベラ３２の外壁４２に連結された後部材７１との間に挟まれる。後部材７１は、圧力ばめ、接着、または固定具などによって取り付けられる。
【００１９】
レンズベース２４には、ツイストリング５６が装着されている。ツイストリング５６は、レンズベース２４の円周の少なくとも一部にわたって延伸する。ツイストリング５６は、レンズベース２４に対して、右方向配置から複数の中間配置を経て左方向配置へ、可逆的に回転可能である。（本明細書で使用する他の方向関連の用語と同様に、用語「右方向」および「左方向」は相対的な意味で使われており、限定的ではない。）ツイストリング５６が右方向配置および左方向配置の間を回転することによって、レンズ筒１８がそれぞれ第１および第２の位置の間を移動するよう、ツイストリング５６はトラベラ３２に機械的に連結される。ツイストリング５６は、図１〜図１０の実施形態ではホルダキャップ２９のテーパ部または内部構造によって、図１１および図１２の実施形態ではホルダ４３の前方リム５１によって、軸上に固定される。
【００２０】
トラベラ３２は、コネクタ５０を含む。コネクタ５０は、レンズベース２４およびツイストリング５６のパーツと共に、伸縮機構を形成する。コネクタ５０は、３つの軌道フォロア５４を有する。軌道フォロア５４をトラベラ３２上に等間隔にて設けることで、トラベラ３２がレンズベース２４に対して傾斜することを防止できる。各軌道フォロア５４は、間隔をあけて設置された一対のポストを有する。ツイストリング５６は、トラベラ３２のコネクタ５０を収容する係合部５８を有する。それにより、トラベラ３２は動きが制限されて、ツイストリング５６が右方向配置および左方向配置の間で回転された時、トラベラ３２は光軸１６に沿って前後に移動する。係合部５８は一式の内部軌道６０であり、各軌道が、トラベラ３２の軌道フォロア５４の１つを収容する。本明細書で説明する実施形態では軌道６０は、ツイストリング５６の円周壁６７から光軸側に延伸する螺旋リブである。軌道６０は、各軌道フォロア５４の対のポストに把持される。代替案では、軌道６０は溝または一対の平行なフェンスであり、軌道フォロア５４はその溝内またはフェンス間に支えられて移動するよう構成される。
【００２１】
各軌道フォロア５４は、レンズベース２４のホルダキャップ２９またはホルダ４３内の対応のスロット６３を通じて、軌道６０へ延伸する。各スロット６３は、光軸１６に平行に延伸する。図示する実施形態では、３つのスロット６３および３つの軌道フォロア５４が設けられている。
【００２２】
ツイストリング５６が回転された時、３つの軌道フォロア５４は、軌道６０に沿ってスライドする。軌道フォロア５４がレンズベース２４のスロット６３によって保持されているため、レンズ筒１８は、光軸１６に沿って直線的に機器内側方向または外側方向へ移動する。移動後は、トラベラ３２は摩擦によって選択位置に保持される。
【００２３】
係合部５８および対応のコネクタ５０を、変更することも可能である。たとえば、係合部５８およびコネクタ５０は、互いにかみ合う歯車や同等物であってもよい。ツイストリングを用いてレンズ筒を収縮および伸長させる他の機構も、当業界では知られている。
【００２４】
レンズ筒の移動は、ユーザが手動でツイストリング５６を回転させることによって実施される。図８を参照すると、ツイストリング５６は、前カバー内のスロット７３を貫通するノブ４１を含む。ユーザがノブ４１を動かすことによって、ツイストリング５６が回転される。レンズ筒１４は、他の方法で手動で動かされてもよいし、あるいは手動ではなく電動にすることも可能である。
【００２５】
担持部２６は、ベースレンズシート４９を有する。ベースレンズ要素２８は、ベースレンズシート４９内に収容され、ベースレンズシート４９を覆うようにして押しつけられるリテーナ４７によって保持される。もしくは、ベースレンズ要素２８は他の方法で固定または接着されうる。担持部２６は、トラベラ３２の軌道フォロア５４と同様に外向きに延伸するペグ５３を有する。各ペグ５３は、各軌道フォロア５４の後側にて、ホルダ４３の各スロット６３内に収容される。３つのペグ５３は、トラベラ３２の軌道フォロア５４と同様の要領にて設けられる。
【００２６】
ツイストリング５６は、後縁５５を有する。その後縁５５には、各ペグ５３に面する３つのカム面５７（図１０にカム面を図示する）が形成されている。ツイストリング５６が回転された時、ペグ５３は各カム面５７に押しつけるように動く。その動きはスロット６３によって制限されるため、担持体２６は、光軸１６を軸に回転することはできない。オプションとして、レンズモジュールにおいて、担持体をカム面に対して、もしくはトラベラを軌道に対して、バネまたはエラストマ部材（図示せず）を用いて付勢してもよい。
【００２７】
シャッタ機構１２は、開くことによって、撮影レンズシステムを通じて光を撮像面３８に入射させる。図には写真フィルム式カメラを示すが、イメージの永久的記録のために、写真フィルムの代わりに電子的イメージャをカメラで使用してもよい。
【００２８】
シャッタ機構１２は、フレーム２０に取り付けられたシャッタレリーズ６２と、トラベラ３２内に設置されたインパクトシャッタ１４とを含む。本明細書では、シャッタ１４を単一のブレードとして説明するが、所望であれば単一ブレードの代わりに複数ブレードのシステムを用いてもよい。シャッタ１４は、トラベラ３２と共に、光軸に沿って前後に移動する。シャッタ１４は、平常は閉鎖状態であって、トラベラ３２の横断壁４４内の開口部６４をしっかりと覆う。シャッタ１４は、シャッタドライバ６６（「高エネルギレバー」と呼ばれることもある）によって駆動される。シャッタドライバ６６は、巻取り機構４０によって付勢され、付勢状態になる。
【００２９】
巻取り機構４０は、サムホイール兼メータリング（定量送り）ホイール６８を含む。ホイール６８は、フレームの上部角に隣接して、回転可能に取り付けられる。ホイール６８の一部は、後カバー２３の外に延伸し、カメラ操作者がアクセスできるようになっている。所望であればホイール６８は、ユーザが直接に駆動する代わりに、巻取りノブ、レバー、電気モータ、または他の類似の装置によって駆動されてもよい。
【００３０】
写真フィルム７０は初期状態では、一方のフィルムチャンバ７２内でコイル状に巻かれ、撮像面３８を横断して他方のフィルムチャンバ７２まで延伸し、そこでフィルム端部が、フィルムカートリッジ７６のスプール７５によって保持される。ホイール６８は、ホイール６８をフィルムカートリッジスプール７５に連結するキーを有する。それにより、ホイール６８が前進方向に回転されると、フィルムは、カートリッジ７６内に巻入れられて撮像面３８を通過する。後退防止ツメ７８が、ホイール６８の縁に弾性的に押しつけられ、逆方向への回転を防止する。
【００３１】
フィルム定量送りスプロケット８０は、回転可能な状態でフレーム２０に支持されたスプロケットシャフト８１を有する。スプロケット８０は、フィルム７０の送り穴にかみ合い、フィルム７０がフィルムフレーム１枚分の距離を進む度に１回転する。
【００３２】
アクチュエータディスク８２および付勢カム８４は、スプロケット８０と一体的に形成されるか、あるいはスプロケット８０と共に組み立てられ、固定（不動）位置関係に維持される。アクチュエータディスク８２は、ノッチ８５の箇所以外は、連続的な周縁部を有する。付勢カム８４は、一方の側に螺旋表面を有し、他方の側に螺旋表面を有する。
【００３３】
フィルム定量送りレバー８６は、旋回可能な状態でフレーム２０に支持される。（定量送りレバー８６およびシャッタドライバ６６は、フレーム２０上に設けられ上向きに延伸するポストを収容できる円筒形の空洞コアを有するとして、図示されている。代替案では、定量送りレバー８６およびシャッタドライバ６６は、フレーム２０および保持板１６６に形成された穴に嵌るシャフトを有することが考えられる。）定量送りレバー８６は、コイルばね８８によって作動方向に付勢されている。定量送りレバー８６は、端部が歯状の第１のアーム９０と、ツメを有する第２のアーム９２とを有する。定量送りレバー８６の歯付きアーム９０が、アクチュエータディスク８２のノッチ８５に収容された時に、定量送りレバー８６のツメ付きアーム９２が、ホイール６８の歯状の縁にかみ合い、一時的にフィルム７０の前進を妨げる。
【００３４】
シャッタレリーズ部材６２は、シャッタボタン９４を含む。シャッタボタン９４は、シャッタレリーズ６２の可撓性アーム９６の片持ち端部の近辺に備えられる。シャッタボタン９４に隣接して、アーム９６はラッチ部材９８を担持する鉛直タブを有する。
【００３５】
シャッタドライバ６６は、コイルばね１００によって付勢される。シャッタドライバ６６は、ラッチ部材９８にかみ合う凸部１０２を有する。凸部１０２は、シャッタドライバ６６を、ばね１００に対抗して付勢位置に保持する。シャッタドライバ６６はさらに、カムフォロアフィンガ１０４を有する。カムフォロアフィンガ１０４は、付勢カム８４にかみ合うよう配置される。
【００３６】
図１〜図４に示すとおり、シャッタドライバ６６が付勢状態にあり、カメラが露光できる状態にある時には、シャッタドライバ６６の凸部１０２は、ラッチ部材９８にかみ合うことで、ばね１００に対抗してシャッタドライバ６６を付勢状態に保持する。それ以前のフィルム送り時には、定量送りレバー８６の歯付きアーム９０が、アクチュエータディスク８２のノッチ８５内に収納されるよう、スプロケット８０が回転されている。それにより、定量送り用ツメ付きアーム９２が、ばね８８の作用によりホイール６８にかみ合っている。シャッタドライバ６６のカムフォロアフィンガ１０４は、付勢カム８４に接触していない。
【００３７】
撮影者がシャッタボタン９４を押下して露光を開始すると、シャッタレリーズ６２が準備完了状態から解放状態に解放される。それによりシャッタボタン９４は、シャッタドライバ６６の凸部１０２とかみ合わなくなるようラッチ部材９８を動かし、シャッタドライバ６６はバネ１００の作用により、付勢位置から解放位置に急速に旋回される。このシャッタドライバ６６の動作の間に、シャッタドライバ６６の突出ハンマ部１０６が突起部１０８に打ち付けることで、シャッタ１４は、旋回軸１１０を軸にして、閉鎖位置から開放位置へと回転する。それによりシャッタ１４は開口部６４から離れ、撮像面３８上に光イメージを露光させる。開口部６４は、一瞬だけ露出される。ハンマ部１０６が突起部１０８を通過すると、シャッタ１４は、シャッタ復帰ばね１１２の付勢作用により閉鎖状態に復帰する。シャッタ１４の閉鎖位置への動作は、ストップ１１３によって制限される。
【００３８】
フィルム露光の完了後、ユーザはシャッタボタン９４を放す。シャッタドライバ６６は、定量送りレバー８６から下方に延伸するヨーク１１４にかみ合うよう動く。それにより、ばね８８によって定量送り部材８６に作用される比較的弱い力が克服され、定量送りレバー８６は不作動位置まで回転する。したがって、定量送り用ツメ付きアーム９２はホイール６８から離脱し、定量送り部材の歯付きアーム９０は、アクチュエータディスクのノッチ８５から引っ込められる。それにより、巻取り機構４０を作動でき、フィルムを次に利用可能なフレームに進めることができる。
【００３９】
つづいて撮影者がホイール６８を前進させると、フィルムはスプール上に巻き取られる。それにより、定量送りスプロケット８０が同方向に回転する。付勢カム８４がシャッタドライバ６６のフィンガにかみ合い、シャッタドライバ６６を付勢位置に戻すよう回転させる。
【００４０】
シャフト１１６が、フレーム２０からシャッタ１４まで延伸し、より好ましくはシャッタ１４を超えて延伸する。シャフト１１６の長手方向は、シャッタ１４の旋回軸１１０に整列し、さらに光軸１６に平行である。図１〜図９を参照すると特定の実施形態では、シャフト１１６はフレーム２０から、トラベラ３２の横断壁４４を貫通して延伸する。本実施形態ではシャッタ１４は、シャッタ１４閉鎖時に開口部６４を覆う遮断部１２０を有する。遮断部１２０には、シャッタ復帰ばね１１２のための取付部１１８を含むネック１２２が連結されている。シャッタ復帰ばね１１２の他方の端部は、トラベラ３２の横断壁４４上の取付部（図示せず）に連結される。シャッタ１４のネック１２２において、遮断部１２０の反対側には、シャフト１１６上を前後にスライドできるスライダ１２４が結合される。このスライド運動は、トラベラ３２の運動のみによって制限される。スライダ１２４は、シャッタ１４がシャフト１１６に対して回転できないように、シャフト１１６上に嵌る。したがって、シャフト１１６が回転すると、シャッタ１４も同様に回転する。
【００４１】
図１〜図９に示すようにスライダ１２４は、シャフト１１６の円周全体にわたって延伸することが可能である。シャフト１１６は、スライダ１２４内のキーウェイ１２６を貫通して延伸する。スライダ１２４は、他の形状であってもよい。たとえばスライダ１２４は、シャフト１１６上に設けられる細長いスロット（図示せず）に嵌る凸状部材（図示せず）であって、そのスロット内を前後にスライドするものであってもよい。スライダとシャフト１１６とは、隙間が少ない状態で嵌り合うことが好ましい。それにより、シャッタ１４の開閉時に、振動などの不都合な動きが生じるリスクが低減される。
【００４２】
シャッタ１４より機器内部側には、駆動ハブ１２８がシャフト１１６上に取り付けられている。駆動ハブ１２８は、シャフト１１６が貫通して延伸するナックル１３０を有する。ナックル１３０から突起部１０８が、シャッタドライバ６６側に延伸する。ナックル１３０から他の方向に、リセットアーム１３２が延伸する。リセットアーム１３２とは反対側に、スイッチアクチュエータ１３４が備えられる。駆動ハブ１２８は、シャッタ１４から分離している。リテーナ１３６（図１０に示す）によって駆動ハブ１２８は、旋回軸１１０と平行なシャフト１１６に沿って移動できないようになっている。図示する実施形態ではリテーナ１３６は、レンズベース２４の一部である。他の形態のリテーナ１３６を設けてもよく、シャフト１１６上において駆動ハブ１２８の前方に嵌められる突起部またはパーツ（図示せず）などを用いることもできる。
【００４３】
撮影時および再付勢時に、突起部１０８は、単一ブレードインパクトシャッタの一部を構成する突起部と同様に機能する。すなわち、シャッタドライバ６６が付勢状態から解放状態に移動する時に、シャッタドライバ６６のハンマ部１０６が突起部１０８に打ち付けることで、駆動ハブ１２８が旋回軸１１０を軸にして回転される。再付勢時にハンマ部１０６が突起部１０８を通過するためのさらなる間隙を設けるよう、突起部１０８に切り欠き部を設けてもよい。
【００４４】
本発明では駆動ハブ１２８は、シャッタ１４から間隔をあけて設けられ、シャフト１１６を介してのみシャッタ１４に作用する。突起部１０８がシャッタドライバ６６によって回転された時、シャフト１１６は旋回軸１１０の周りを回転する。それによりシャッタ１４は回転され、閉鎖状態から開放状態に移動される。シャッタ復帰ばね１１２は、シャッタ１４の閉鎖状態から開放状態への移動によって付勢される。シャッタドライバ６６のハンマ部１０６が突起部１０８を通過した後、シャッタ復帰ばね１１２は、シャッタ１４を閉鎖状態に復帰させる。
【００４５】
シャフト１１６は、一対のブシュ１３８の間で旋回する。一方のブシュ１３８は、フレーム２０内に設けられる。対向するブシュ１３８は、ホルダキャップ２９内（図９参照のこと）、キャップ３６内（図１２参照のこと）、あるいはトラベラ３２の横断壁４４内（図示せず）に設けられる。シャフト１１６は、駆動ハブ１２８のナックル１３０内の通路１４０を貫通して延伸する。通路１４０はオーバーサイズに構成されているが、シャッタ機構１２解放時に突起部１０８がシャッタドライバ６６のハンマ部１０６によって打ち付けられた際には、シャフト１１６が駆動ハブ１２８と共に動くことを可能にしている。通路１４０はさらに、シャッタドライバ６６が付勢状態に戻る再付勢時には、駆動ハブ１２８がシャフト１１６から独立して動くことを可能にしている。図示する実施形態では、シャフト１１６の断面は大ざっぱに言って長方形である。シャフト１１６の長辺１４２は平坦であり、短辺１４４は若干凸曲線状である。ナックル１３０の通路１４０の断面は、大ざっぱに言って蝶形である。通路１４０の対向する端壁１４６は凹状であり、シャフト１１６の短辺に一致する。端壁１４６の間に、一対の側壁１４８が延伸する。各側壁１４８は、Ｖ字形に配置された２つの旋回ストッパ１５０，１５２を有する。一方の対の旋回ストッパ１５０は、撮影時にシャフト１１６が回転されたときに、シャフト１１６の長辺１４２に接触する。他方の対の旋回ストッパ１５２は、再付勢時にシャフト１１６の長辺１４２に接近または接触する。（再付勢時の駆動ハブ１２８の旋回は、リセットアーム１３２の弾性屈曲によって制限される。）
【００４６】
リセットアーム１３２は、フレーム２０から延伸する限界ストッパ１５４に面する。リセットアーム１３２は、ストッパ１５４から間隔をあけて配置されるが、再付勢時だけは例外である。再付勢時には図６に示すように、リセットアーム１３２はストッパ１５４に押しつけられる。リセットアーム１３２は弾性を有するため、ハンマ部１０６が突起部１０８を通過した後の再付勢時に、矢印１５７の方向への推進力を駆動ハブ１２８に供給する。それにより、駆動ハブ１２８はシャフト１１６に対して旋回され、ナックル１３０の通路１４０の第１の対の旋回ストッパ１５０に第１の長辺１４２が押しつけられた再付勢位置から、第２の対の旋回ストッパ１５２に第２の長辺１４２が押しつけられる準備完了位置に至る。この構成は、シャッタ機構１２の解放時に、シャッタドライバ６６の打ち付け運動に対して駆動ハブ１２８がより迅速に反応できるよう備えられる。リセットアーム１３２の弾性は、いずれかの適切な手法で設けられる。図示する実施形態ではリセットアーム１３２は、使用時に弾性的に曲がる湾曲したプラスチック片である。
【００４７】
アクチュエータアーム１３４は、ナックル１３０から延伸するネック１５６と、そのネック１５６に連結されたヘッド１５８とを有する。ヘッド１５８に隣接して、同期スイッチ１６２の一対の接点１６０が備えられる。解放時に駆動ハブ１２８が旋回してシャッタ１４が開く時、ヘッド１５８が接点１６０に押しつけるよう移動することで、接点１６０は互いに押しつけられる。それにより、フラッシュユニット１６４に信号が供給され、フラッシュユニット１６４はストロボ管（別個には図示しない）を点火させる。この目的において適切なフラッシュユニットは、当業者にとって周知である。復帰ばね１１２の運動力によってシャッタ１４が閉鎖位置に復帰すると、アクチュエータアーム１３４のヘッド１５８は接点１６０から離れ、同期スイッチ１６２は再度開路状態になる。
【００４８】
撮影時にシャッタ１４が開く時、シャフト１１６にねじり力が印加される。ねじり力に起因するシャフト１１６の撓みによって、シャッタ１４の開放に遅延が生じる可能性がある。このことは、通常使用時におけるカメラの温度変化によって撓みおよび遅延が大きく変化する場合に、特に問題である。その理由は、シャッタ１４の開放と同期スイッチの閉鎖との相対的タイミングが変化してしまうからである。そのためシャフト１１６は、通常の環境温度である０°〜１００°Ｆの範囲での撮影時に撓まないことが好適である。（この趣旨において、解放時のシャフト１１６の撓みが、シャフト１１６とシャッタ１４との間の間隙より小さい場合は、シャフト１１６は撓まないと見なされる。）特定の実施形態ではシャフト１１６は、ステンレス鋼または同等の剛性を有する他の材料から成る。軟鋼および他の軟質金属は、使用時に変形するおそれがあるので好ましくない。
【００４９】
上述の実施形態では、シャッタ１４はシャフト１１６上をスライドし、かつシャフト１１６と共に旋回する。この実施形態の利点は、トラベラ３２が移動する時に、フレーム２０に対するシャフト１１６の位置が変化しないことである。そのため、シャッタ１４の旋回軸１１０は、フレーム２０に対して固定位置関係にある。その結果、光軸１６に対するトラベラ３２の移動における誤差は、シャッタ１４の旋回軸１１０に伝達されない。
【００５０】
図１３に、本発明の別の実施形態を示す。シャッタ１４ａはシャフト１１６上をスライドするのだが、本例では突起部１０８ａは、駆動ハブ１２８ａの一部ではなくシャッタ１４ａの一部である。そして、シャッタドライバ６６ａのハンマ部１０６ａは、突起部１０８ａの移動に対応するために、長く形成されている。駆動ハブ１２８ａが、軸を中心とした移動をしないので、通路１４０は、キーウェイ１２６の形状に一致する単純な形状にすることができる。その他の点では駆動ハブ１２８ａは、上述の例と同様に機能する。本例では、上記と同様に、トラベラ３２が移動する時にフレーム２０に対するシャフト１１６の位置が変化せず、トラベラ３２の移動時にシャフト１１６がトラベラ３２のガイドとして機能できる点が、有利である。ただし、突起部１０８ａに届くようハンマ部１０６ａを長く形成しなければならず、ハンマ部１０６ａが移動できる空間をトラベラ３２内に設ける必要がある。さらに、長いハンマ部１０６ａは撮影時に撓むおそれがあり、上記と同様の遅延問題が発生しうる。この問題の解決案として、撓みに対して抵抗性のあるハンマ部１０６ａを使用することが考えられる。たとえば、ある長さのステンレス鋼片などの補剛部材（図示せず）を用いて、図１３のハンマ部１０６ａに修正を加えることができる。
【００５１】
本実施形態において、シャッタのスライダ内の通路の断面を円形（図示せず）に変更することが可能である。この場合、突起部は上記同様に、駆動ハブの一部ではなくシャッタの一部であるが、それ以外の点では駆動ハブは図１の駆動ハブと同じである。ただしこの構成は、好ましくはない。その理由は、図１の実施形態と比べてシャッタブレードの固定が緩く、シャッタの傾斜および光漏れが発生するリスクが高くなるからである。
【００５２】
図１４に、本発明の別の実施形態を示す。シャッタ１４ｂは、シャフト１１６ｂ上に固定配置され、軸に沿ってシャフト１１６ｂに対して前後に移動することはない。固定方法は、決定的事項ではない。シャッタ１４ｂは、固定具によって定位置に固定または保持されてもよいし、図１１に示すようにプレスばめされてもよい。本例では、トラベラ３２が光軸１６に沿って前後に移動する際に、シャッタ１４ｂおよびシャフト１１６ｂの両者がトラベラ３２と共に移動する。フレーム２０に面するブシュ１３８と、トラベラ３２の横断壁４４とが、シャフト１１６ｂの旋回運動および軸に沿った動きを支持する。シャフト１１６ｂは、両ブシュ１３８内にとどまりながらトラベラ３２と共に移動できるよう、前述のものに比べて長く形成されることが考えられる。駆動ハブ１２８は、図１の実施形態に関連して説明した駆動ハブ１２８と変わらない。本例では、図１の実施形態と同様に、トラベラ３２が光軸１６に沿って移動する際に突起部１０８の位置が変化しない点が有利である。ただし、シャフト１１６ｂは、トラベラ３２の移動に対する固定ガイドにはならず、軸に沿ったシャフト１１６ｂの動きに対応するために、フレーム２０およびトラベラ３２内に空間を設けなければならない。また、シャッタの傾斜が発生するリスクが高くなる可能性がある。
【００５３】
駆動ハブ１２８は、固定配置されレンズ筒と共に伸縮しないシャッタを有するカメラにおいて使用することも可能である。図１６に、図１〜図１０のレンズモジュール２２の修正例を示す。本例では、トラベラおよび担持体の代わりに、それぞれ第１および第２レンズ支持体１６８，１７０が設けられる。ツイストリングは、削除されている。エンドキャップ１７２が、第１および第２レンズ支持体１６８，１７０を覆って嵌められ、マウント２７上に引っ掛けて固定される。第１および第２レンズ支持体１６８，１７０は、マウントおよび互いに対して、摩擦ばめ、接着剤、または固定具などによって固定される。シャッタ機構は図１の実施形態と同様であるが、シャフト１１６は短く、シャッタ１４はシャフト１１６に沿って移動できないようになっている。
【００５４】
図１５および図１９に、さらなる実施形態を示す。本例では、シャッタ−シャフト一体部材１７４が、シャッタおよびシャフトに取って代わる。シャッタ−シャフト１７４は前述のシャッタと同様に、ばね１１２によって付勢され、取付点１１８と、遮断部１２０と、ネック１２２とを有する。シャフト１８０は、ネック１２２および遮断部１２０と一体的に形成され後方に延伸する突出部である。たとえばシャッタ−シャフトは、打抜き加工された金属部品であることが考えられる。シャッタ−シャフト１７４は、図１６のレンズモジュールの修正に使用される。駆動ハブ１２８は、フレーム２０上のポストに支えられて動くが、その点以外は図１の駆動ハブ１２８と同様である。本例では、モジュールの奥行きが短縮され、第２レンズ支持体１７０が駆動ハブ１２８と整列される。
【００５５】
以上、特定の好適な実施形態を参照しながら本発明を詳述したが、本発明の精神および範囲内で変更および修正が実施可能であると理解される。
【００５６】
（本発明の他の特徴）
番号を付した以下の文において、本発明の他の特徴を説明する。
１．カメラフレームアセンブリであって、ベース部材と、前記ベース部材に接続された駆動ハブと、前記駆動ハブに連結されたシャッタと、前記ベース部材に取り付けられたシャッタドライバと、を有する。前記シャッタドライバは、付勢状態から解放状態に選択的に偏向し、その偏向時に前記駆動ハブに打ち付ける。その打ち付けに反応して、前記駆動ハブおよび前記シャッタは共に、前記ベース部材に対して、旋回軸を軸にして解放方向に旋回し、シャッタ閉鎖位置からシャッタ開放位置に至る。前記駆動ハブは、前記シャッタから独立して、前記解放方向とは逆の再付勢方向に旋回可能である。
２．上記文１のカメラフレームアセンブリであってさらに、前記シャッタと前記駆動ハブとを連結するシャフトを有する。前記シャフトは、前記シャッタ閉鎖位置から前記シャッタ開放位置の間を前記シャッタと共に旋回する。
３．上記文１のカメラフレームアセンブリであってさらに、前記シャッタと前記駆動ハブとを連結するシャフトを有する。前記シャフトは、前記シャッタ閉鎖位置から前記シャッタ開放位置の間を前記シャッタと共に旋回する。前記シャフトは、前記駆動ハブと共に、前記解放方向とは逆の前記再付勢方向に旋回可能である。
４．カメラフレームアセンブリであって、ベース部材と、前記ベース部材に接続された駆動ハブと、前記駆動ハブから延伸し旋回軸を画成するシャフトと、前記シャフトに連結するシャッタと、前記ベース部材に取り付けられたシャッタドライバと、を有する。前記シャッタドライバは、付勢状態から解放状態に選択的に偏向し、その偏向時に前記駆動ハブに打ち付ける。その打ち付けに反応して、前記駆動ハブ、前記シャフト、および前記シャッタは共に、前記ベース部材に対して、前記旋回軸を軸にして解放方向に旋回し、シャッタ閉鎖位置からシャッタ開放位置に至る。前記駆動ハブは、前記シャフトおよび前記シャッタから独立して、前記解放方向とは逆の再付勢方向に旋回可能である。
５．上記文４のカメラフレームアセンブリであって、前記シャッタは、前記シャフトと共にのみ、前記ベース部材に対して旋回可能である。
６．上記文４のカメラフレームアセンブリであって、前記シャフトは、前記駆動ハブと前記ベース部材とを接続する。
７．上記文６のカメラフレームアセンブリであって、前記シャフトは金属片である。
８．上記文４のカメラフレームアセンブリであって、前記駆動ハブは、ナックルと、前記ナックルから延伸する突起部とを有し、前記打ち付けは、前記突起部に対して実施される。
９．上記文８のカメラフレームアセンブリであって、前記駆動ハブは、前記ナックルから延伸するアクチュエータアームを有する。前記カメラフレームアセンブリはさらに、前記アクチュエータアームと作動上連携するよう設けられた同期スイッチを有する。
１０．上記文８のカメラフレームアセンブリであって、前記ナックルは、前記旋回軸に整列する通路を有し、前記シャフトが前記通路を貫通して延伸する。
１１．上記文８のカメラフレームアセンブリであって、前記通路は、第１および第２の両方向用の旋回ストッパを有する。前記第１旋回ストッパは、前記駆動ハブおよび前記シャフトの前記解放方向への相対的回転を制限する。前記第２旋回ストッパは、前記駆動ハブおよび前記シャフトの前記再付勢方向への相対的回転を制限する。
１２．上記文８のカメラフレームアセンブリであって、前記通路は蝶形の断面を有し、前記シャフトは平坦片である。
１３．上記文８のカメラフレームアセンブリであって、前記駆動ハブは、前記シャフトとの関係において、前記解放方向に旋回して前進位置に至り、さらに、前記再付勢方向に旋回して復帰位置に至ることが可能である。
１４．上記文１３のカメラフレームアセンブリであって、前記駆動ハブは、前記復帰位置にある時、前記解放方向への回転に向けて付勢されている。
１５．上記文１３のカメラフレームアセンブリであって、前記駆動ハブは、前記ナックルから延伸する可撓性リセットアームを有する。前記リセットアームは、前記駆動ハブが前記復帰位置にある時、前記ベース部材に接触して、前記駆動ハブを前記前進方向に付勢する。
１６．上記文４のカメラフレームアセンブリであって、前記シャッタは、前記シャフトと共にのみ、前記ベース部材に対して旋回可能である。
１７．上記文４のカメラフレームアセンブリであって、前記シャフトは、前記駆動ハブと前記ベース部材とを接続する。
１８．上記文４のカメラフレームアセンブリであって、前記駆動ハブは、ナックルと、前記ナックルから延伸する突起部とを有し、前記打ち付けは、前記突起部に対して実施される。
１９．カメラフレームアセンブリであって、ベース部材と、前記ベース部材から延伸するシャフトと、前記シャフトに連結し前記シャフトに対して旋回可能な駆動ハブと、前記駆動ハブから間隔をあけた状態で前記シャフトに連結するシャッタと、前記ベース部材に取り付けられたシャッタドライバと、を有する。前記シャッタドライバは、付勢状態から解放状態に選択的に偏向し、その偏向時に前記駆動ハブに打ち付ける。その打ち付けに反応して、前記駆動ハブ、前記シャフト、および前記シャッタは共に、前記ベース部材に対して、前記シャフト内に延伸する旋回軸を軸にして旋回し、シャッタ閉鎖位置からシャッタ開放位置に至る。
【図面の簡単な説明】
【００５７】
【図１】カメラフレームアセンブリの一実施形態のシャッタ機構および他のパーツを示す前面斜視図である。シャッタは、後方位置に配置され、付勢状態にある。フラッシュユニットが概略的に図示され、フレームおよびレンズシュラウドの一部が示されている。
【図２】図１のシャッタ機構を示す平面図である。巻取り機構およびフィルムカートリッジも示される。サムホイールは、部分破断状態で図示する。
【図３】図１と同様の図であるが、シャッタが前方位置に配置され、フラッシュユニットが図示されていない。
【図４】図２のシャッタ機構および巻取り機構を示す前面図である。シャッタ機構は、付勢状態である。
【図５】図４と同様の図であるが、シャッタは開放状態である。
【図６】図４と同様の図であるが、シャッタ機構は再付勢状態に移行中である。
【図７】図１のカメラフレームアセンブリを示す前面斜視図である。
【図８】図７のカメラを示す部分分解前面斜視図である。明確化のため、フレームに関連するいくつかのパーツは図示しない。
【図９】図７のカメラのレンズモジュールを示す分解前面斜視図である。前部レンズリテーナは図示しない。
【図１０】図７のカメラのレンズモジュールおよびフレームの一部を示す断面図である。
【図１１】カメラフレームアセンブリの他の実施形態を示す前面斜視図である。
【図１２】図１１のカメラのレンズモジュールを示す分解前面斜視図である。
【図１３】図１と同様の図であるが、修正を加えたシャッタ機構を示す。
【図１４】図１と同様の図であるが、別の修正を加えたシャッタ機構を示す。
【図１５】さらに別の修正を加えたシャッタ機構の、シャッタブレード、復帰ばね、および駆動ハブを示す前面斜視図である。
【図１６】レンズモジュールの改良を示す図である。
【図１７】駆動ハブを示す図である。
【図１８】駆動ハブを示す図である。
【図１９】他の実施形態を示す図である。
【符号の説明】
【００５８】
１０  カメラフレームアセンブリ、１４  シャッタ、２０  ベース部材、６６  シャッタドライバ、１１０  旋回軸、１１６  シャフト、１２８  駆動ハブ。
【図１】
2004206122.tif 000003
【図２】
2004206122.tif 000004
【図３】
2004206122.tif 000005
【図４】
2004206122.tif 000006
【図５】
2004206122.tif 000007
【図６】
2004206122.tif 000008
【図７】
2004206122.tif 000009
【図８】
2004206122.tif 000010
【図９】
2004206122.tif 000011
【図１０】
2004206122.tif 000012
【図１１】
2004206122.tif 000013
【図１２】
2004206122.tif 000014
【図１３】
2004206122.tif 000015
【図１４】
2004206122.tif 000016
【図１５】
2004206122.tif 000017
【図１６】
2004206122.tif 000018
【図１７】
2004206122.tif 000019
【図１８】
2004206122.tif 000020
【図１９】
2004206122.tif 000021